(57)【特許請求の範囲】
【請求項１】
ＯＦＤＭ信号を受信するＯＦＤＭ受信装置であって、
前記ＯＦＤＭ信号を受信する複数のＯＦＤＭブランチと、
前記複数のＯＦＤＭブランチの各々において前記ＯＦＤＭ信号を処理するための処理クロックを生成する複数のクロック生成部と、
前記複数のＯＦＤＭブランチの各々において前記処理クロックによって処理されたＯＦＤＭ信号のシンボル間隔の誤差を検出する誤差検出部と、
前記複数のＯＦＤＭブランチの各々において検出された前記シンボル間隔の誤差の平均値を算出する誤差平均部と、
前記複数のＯＦＤＭブランチの各々において算出された前記平均値を、前記複数のＯＦＤＭブランチの各々における前記シンボル間隔の誤差の変動量と変動量閾値との比較結果に基づいて合成することにより、前記平均値の合成値を生成する判定部と、
前記判定部によって生成された前記合成値に基づいて、前記複数のクロック生成部の各々に対して、前記処理クロックの誤差を補正するための補正指示情報を出力するクロック誤差補正部と、を有し、
前記複数のクロック生成部の各々は、前記補正指示情報に基づいて前記処理クロックの誤差を補正し、
前記判定部は、
前記複数のＯＦＤＭブランチの各々において、前記変動量が前記変動量閾値よりも小さいと判定した場合、前記平均値を合成して前記合成値を生成し、
前記複数のＯＦＤＭブランチのうちの少なくとも１つのＯＦＤＭブランチにおいて、前記変動量が前記変動量閾値よりも大きいと判定した場合、前記大きいと判定されるより前の期間に前記変動量が前記変動量閾値よりも小さいと判定した場合の前記平均値を前記誤差平均部に保持平均値として保持させ、
前記少なくとも１つのＯＦＤＭブランチにおいて前記変動量が前記変動量閾値よりも大きいと判定する期間では、前記少なくとも１つのＯＦＤＭブランチを除く前記複数のＯＦＤＭブランチの各々について算出された前記平均値を合成して前記合成値を生成し、
前記少なくとも１つのＯＦＤＭブランチにおいて前記大きいと判定した前記変動量が前記変動量閾値よりも小さくなったと判定した場合、前記少なくとも１つのＯＦＤＭブランチを除く前記複数のＯＦＤＭブランチの各々について算出された前記平均値と前記少なくとも１つのＯＦＤＭブランチの前記保持平均値とを合成して前記合成値を生成する
ことを特徴とするＯＦＤＭ受信装置。
【請求項２】
前記ＯＦＤＭ受信装置は、
原クロックを生成する少なくとも１つの原クロック生成部をさらに含み、
前記複数のクロック生成部の各々は、
前記補正指示情報に基づいて、前記原クロックの周波数を制御することにより、前記処理クロックを補正するクロック補正処理部を含み、
前記複数のＯＦＤＭブランチの各々は、
前記ＯＦＤＭ信号を復調する復調部と、
前記復調部の出力信号を保持し、対応する前記クロック生成部に含まれる前記クロック補正処理部によって補正された処理クロックに基づいて、前記保持された出力信号を出力する保持部と、を含む
ことを特徴とする請求項１に記載のＯＦＤＭ受信装置。
【請求項３】
前記複数のＯＦＤＭブランチの各々において前記処理クロックによって処理されたＯＦＤＭ信号の平均電力を検出する電力検出部をさらに有し、
前記判定部は、
前記複数のＯＦＤＭブランチの各々について、前記電力の平均値を電力閾値と比較し、
前記比較の結果、前記電力閾値よりも大きいと判定した前記電力の平均値に対応するＯＦＤＭブランチについて算出された前記誤差の平均値を合成することにより、前記合成値を生成する
ことを特徴とする請求項１または２に記載のＯＦＤＭ受信装置。
【請求項４】
前記複数のＯＦＤＭブランチの各々において前記処理クロックによって処理されたＯＦＤＭ信号をフーリエ変換することにより得られる周波数領域信号についてエラー率を検出する検出部をさらに有し、
前記判定部は、
前記複数のＯＦＤＭブランチの各々について、前記エラー率をエラー率閾値と比較し、
前記比較の結果、前記エラー率閾値よりも小さいと判定した前記エラー率に対応するＯＦＤＭブランチについて算出された前記誤差の平均値を合成することにより、前記合成値を生成する
ことを特徴とする請求項１〜３のいずれか１つに記載のＯＦＤＭ受信装置。
【発明の詳細な説明】
【技術分野】
【０００１】
本発明は、複数のＯＦＤＭブランチを用いてＯＦＤＭ信号を受信するＯＦＤＭ受信装置に係わる。
【背景技術】
【０００２】
近年、デジタル信号を伝送する方式の１つとして、直交周波数分割多重方式（ＯＦＤＭ：Orthogonal Frequency Division Multiplexing）が提案されている。ＯＦＤＭでは、周波数軸上で互いに直交している複数のキャリアを利用してデータが伝送される。このため、ＯＦＤＭにおいては、各キャリアを利用して伝送されるデータのシンボル期間は長くなり、遅延の大きなマルチパス環境においても、受信性能の劣化は小さい。また、キャリア毎に変調方式を変えることができる。
【０００３】
ＯＦＤＭでは、ＩＦＦＴ（Inverse Fast Fourier Transform）を利用した変調、およびＦＦＴ（Fast Fourier Transform）を利用した復調が行われる。このため、ＯＦＤＭは、周波数利用効率が高く、地上波デジタル放送への適用が広く検討されている。日本では、地上波デジタル放送であるＩＳＤＢ−Ｔ（Integrated Services Digital Broadcasting-Terrestrial）においてＯＦＤＭが採用されている。
【０００４】
地上波デジタル放送では、携帯端末などの移動局で信号を受信することが多々ある。このため、受信性能を向上させるために、ダイバーシティ受信が実用化されている。ダイバーシティ受信においては、同一の信号を複数のアンテナを利用して受信し、複数の受信信号を合成してノイズが除去される。あるいは、複数の受信信号の中から電波状況の優れたアンテナを介して受信した信号を選択する方式も知られている。
【０００５】
図７は、ダイバーシティ受信機能を備えたＯＦＤＭ受信装置の一般的な構成を示す図である。図７に示すＯＦＤＭ受信装置は、２つのＯＦＤＭブランチを備える。
【０００６】
各ＯＦＤＭブランチは、それぞれアンテナ１０１を備える。そして、各ＯＦＤＭブランチにおいて、ＯＦＤＭ信号は、チューナ１０２により受信され、Ａ／Ｄ変換部１０３によりデジタル信号に変換される。直交復調部１０４は、Ａ／Ｄ変換部１０３により得られたデジタル信号から、直交信号（Ｉ成分信号およびＱ成分信号）を生成する。ＦＦＴ部１０５は、シンボル毎にＦＦＴ演算を実行することにより、時間領域の信号を周波数領域の信号に変換する。伝送路等化部１０６は、伝送路上で発生した位相回転を補正する。
【０００７】
ダイバーシティ合成部１０７は、各ＯＦＤＭブランチの伝送路等化部１０６から出力される１組の信号を合成する。すなわち、周波数領域で信号が合成される。よって、このようなダイバーシティ合成は、周波数ダイバーシティと呼ばれることがある。なお、ダイバーシティ合成の代わりに、選択ダイバーシティを行ってもよい。誤り訂正部１０８は、ダイバーシティ合成部１０７の出力信号について誤り訂正を行う。これにより、送信データが再生される。
【０００８】
上記構成のダイバーシティ合成において、ダイバーシティ合成部１０７の出力Ｙは、下式で表される。ここで、Ｄ１、Ｄ２は、各ＯＦＤＭブランチの伝送路等化部１０６から出力されるデータである。また、Ｐ１、Ｐ２は、各ＯＦＤＭブランチにおけるＳＰキャリアの電力である。
Ｙ＝（P1×D1＋P2×D2）／（P1＋P2）
ダイバーシティ合成においては、アンテナの指向性などを変えることにより、各ブランチ間の相関を減らして受信感度を向上させることが可能である。ただし、複数の経路からの信号を受信するので、あるブランチの受信信号の品質が極端に悪くなると、他のブランチの信号も劣化を生じるおそれがある。
【０００９】
ダイバーシティ受信機能を備えるＯＦＤＭ受信装置は、マスター／スレーブ方式を導入していることが多い。以下、図８を参照しながら、マスター／スレーブ方式を導入したＯＦＤＭ受信装置について説明する。なお、図８（ａ）および図８（ｂ）は、それぞれＯＦＤＭ受信装置の前段部分および後段部分を示している。また、ＦＦＴ部は、図８（ａ）および図８（ｂ）に重複して描かれている。
【００１０】
図８（ａ）に示すように、各ブランチにおいて、クロック再生部１１１は、直交復調部１０４の出力信号のクロックを再生する。ガード相関部１１２は、シンボル毎に位相誤差を検出する。位相誤差平均部１１３は、ガード相関部１１２により検出される位相誤差の平均値を計算する。クロック補正部１１４は、位相誤差の平均値を利用して、クロック再生部１１１において再生されるクロックの誤差を補正する。このように、マスター／スレーブ方式のＯＦＤＭ受信装置においては、基本的に、ブランチ毎に独立してクロックが再生され、ブランチ毎に独立して補正される。
【００１１】
各ブランチにおいて、ＦＦＴ部１０５および伝送路等化部１０６は、図８（ｂ）に示すように、それぞれ再生されたクロックに従って動作する。ダイバーシティ合成部１０７は、基本的に、いずれか一方のブランチのクロックを利用して動作する。例えば、第１ブランチがマスターであるものとすると、ダイバーシティ合成部１０７は、第１ブランチで再生されたクロック１を利用して動作する。このため、他のブランチでは、クロック乗せ換え部１１５を設けてクロック変換を行う必要がある。なお、クロック乗せ換え部１１５は、例えば、データを蓄積するメモリを設け、互いに異なる書込みクロックおよび読出しクロックを設定することにより実現される。
【００１２】
特許文献１には、第１ブランチおよび第２ブランチのシンボル位置をそれぞれ検出し、それら１組の検出結果に基づいて両ブランチのＡ／Ｄ変換部が使用するクロックを生成する構成が記載されている。ただし、キャリア周波数誤差補正部は、ブランチ毎に独立して補正を行っている。
【先行技術文献】
【特許文献】
【００１３】
【特許文献１】特開２００６−５０２８３号公報
【発明の概要】
【発明が解決しようとする課題】
【００１４】
上述したマスター／スレーブ方式では、マスターブランチのクロックでダイバーシティ動作が行われる。このため、マスターブランチの品質が劣化してフレーム同期が外れると、スレーブブランチの品質が良好であっても、送信データを再生できなくなってしまう。この問題を解決するためには、例えば、各ブランチの品質をモニタし、品質の高いブランチをマスターに設定する（すなわち、品質の高いブランチのクロックを利用してダイバーシティ動作を行う）構成が考えられる。しかし、この構成では、クロックを切替えるための構成および動作が複雑である。また、マスターブランチの品質が急激に劣化した場合には、クロックの切替えが遅れるなどして信号を受信できなくなってしまう。
【００１５】
特許文献１に記載の構成では、各ブランチにおいて検出される情報に基づいて各ブランチのためのクロックが生成される。このため、特許文献１に記載の構成を、受信ＯＦＤＭ信号から再生されるクロックを補正する回路に適用するものとすると、あるブランチの品質が急激に劣化すると、他のブランチの品質も劣化してしまう。また、マルチパス環境等により各ブランチの位相誤差の変動が激しい場合や、先行波の存在等によってＦＦＴ窓の制御方法を変更する場合には、受信特性が劣化してしまう。
【００１６】
本発明の課題は、複数のＯＦＤＭブランチを利用してＯＦＤＭ信号を受信するＯＦＤＭ受信装置の受信特性を向上させることである。
【課題を解決するための手段】
【００１７】
本発明のＯＦＤＭ受信装置は、複数のアンテナと、前記アンテナ毎に接続される受信系統と、前記受信系統毎のクロック信号を補正するクロック信号制御部と、前記受信系統毎のシンボル切出位置と基準クロック信号の位置との時間位相誤差を求めると共に、前記受信系統毎の前記時間位相誤差の間の平均値を求める演算手段と、前記複数の受信系統の演算手段によって得られた前記平均値を合成する判定部と、を有する。そして、前記判定部によって前記クロック信号制御部を制御し、前記受信系統毎の前記クロック信号を補正する。
【００１８】
この構成においては、複数の受信系統の演算手段によって得られた時間位相誤差の平均値が合成され、その演算結果に応じて各受信系統のクロック信号が補正される。
【００１９】
本発明の他の態様のＯＦＤＭ受信装置は、複数のＯＦＤＭブランチを利用してＯＦＤＭ信号を受信するＯＦＤＭ受信装置であって、各ＯＦＤＭブランチにおいてＯＦＤＭ信号を処理するためのクロックを生成する複数のクロック回路と、各ＯＦＤＭブランチにおけるシンボル間隔の誤差を検出する検出手段と、前記複数のＯＦＤＭブランチの中から予め決められた所定の通信条件を満たすＯＦＤＭブランチを特定する特定手段と、前記特定手段により特定された１または複数のＯＦＤＭブランチにおいて検出されたシンボル間隔の誤差に基づいて、前記複数のクロック回路がそれぞれ生成するクロックを補正する補正手段と、前記複数のＯＦＤＭブランチの出力信号を合成するダイバーシティ回路、を有する。
【００２０】
この構成においては、１または複数のＯＦＤＭブランチにおいて検出されたシンボル間隔の誤差に基づいて、ＯＦＤＭ信号を処理するためのクロックが生成される。このとき、所定の通信条件を満たさない（すなわち、信頼性の低い）ＯＦＤＭブランチにおいて検出されたシンボル間隔の誤差は、使用しない。したがって、あるＯＦＤＭブランチの品質が劣化した場合であっても、信頼性の高いＯＦＤＭブランチから得られる情報に基づいてクロックが補正されるので、良好な受信特性が維持される。
【発明の効果】
【００２１】
本発明によれば、複数のＯＦＤＭブランチを利用してＯＦＤＭ信号を受信するＯＦＤＭ受信装置の受信特性が向上する。
【図面の簡単な説明】
【００２２】
【図１】本発明の実施形態のＯＦＤＭ受信装置の構成を示す図である。
【図２】クロック再生部の構成の一例を示す図である。
【図３】シンボル間隔を検出する方法を説明する図である。
【図４】誤差平均の計算を説明する図である。
【図５】あるブランチの信頼性が低下したときの動作を説明する図である。
【図６】判定部の処理を説明するフローチャートである。
【図７】ダイバーシティ受信機能を備えたＯＦＤＭ受信装置の一般的な構成を示す図である。
【図８】マスター／スレーブ方式のＯＦＤＭ受信装置の構成を示す図である。
【発明を実施するための形態】
【００２３】
図１は、本発明の実施形態のＯＦＤＭ受信装置の構成を示す図である。なお、実施形態のＯＦＤＭ受信装置は、２つのＯＦＤＭブランチ（第１ブランチおよび第２ブランチ）を利用してＯＦＤＭ信号を受信する構成であるが、ＯＦＤＭブランチの数は任意である。
【００２４】
各ブランチは、ＯＦＤＭ信号を受信して復調するために、アンテナ１０１、チューナ１０２、Ａ／Ｄ変換部１０３、直交復調部１０４、ＦＦＴ部１０５、伝送路等化部１０６を備える。そして、各ブランチにおいてＯＦＤＭ信号を復調することにより得られる周波数領域信号は、ダイバーシティ合成部１０７により合成され、送信データが再生される。なお、ダイバーシティ合成部１０７の後段には誤り訂正回路が設けられるが、図１では省略されている。
【００２５】
クロック再生部１は、直交復調部１０４の出力信号のクロックを再生する。クロック再生部１は、例えば、図２に示すように、直交復調部１０４の出力信号（データ列）を保持する保持回路２１を備える。発振器２２は、所定の周波数のクロックを生成する。間引き部２３は、クロック誤差補正部８から与えられる補正指示に従って、発振器２２により生成されるクロックのパルスを間引く。これにより、補正指示に従って誤差（例えば、周波数誤差）が補正された補正クロックが生成される。すなわち、クロックが再生される。そして、保持回路２１に保持されているデータは、この補正クロックにより読み出される。なお、保持回路２１から読み出されるデータは、例えば、ＦＩＲフィルタ等によって補完されるようにしてもよい。
【００２６】
発振器２２は、各ブランチにそれぞれ設けるようにしてもよい。この場合、各発振器２２の発振周波数は、互いに同じにしてもよい。あるいは、第１ブランチおよび第２ブランチが１つの発振器２２を共用するようにしてもよい。
【００２７】
ガード相関部２は、ＯＦＤＭ信号のシンボル間隔を検出する。以下、図３を参照しながら、シンボル間隔を検出する方法を説明する。なお、ＯＦＤＭ方式では、よく知られているように、シンボル間にガードインターバルが挿入される。ガードインターバルは、対応するシンボルの末尾部分の情報をコピーすることにより得られる。また、特に限定されるものではないが、ＩＳＤＢ−Ｔのモード３においては、ガードインターバルは１／８シンボル期間である。
【００２８】
シンボル間隔を検出するためには、まず、直交復調部１０４から出力されるＯＦＤＭ信号およびそのＯＦＤＭ信号を遅延させた信号との相関を求める。遅延時間は、１シンボル期間である。そして、これらの信号の相関値について移動平均を計算する。移動平均の移動幅は、例えば、ガードインターバルである。
【００２９】
図３において、期間Ｐ１は、シンボルｎとシンボルｎ＋１との相関が計算される。この場合、相関値は小さい。期間Ｐ２は、シンボルｎとガードインターバルｎとの相関が計算される。ここで、ガードインターバルｎの信号は、シンボルｎの信号をコピーすることにより得られる。すなわち、期間Ｐ２は、シンボルｎとシンボルｎとの相関が計算されるので、その相関値は大きい。したがって、その相関値の移動平均は、期間Ｐ２において増加していく。期間Ｐ３は、ガードインターバルｎ＋１とシンボルｎとの相関が計算される。この場合、相関値は小さい。よって、その移動平均は、期間Ｐ３において減少していく。この結果、相関値の移動平均は、期間Ｐ２から期間Ｐ３に切り替わるタイミングでピークを持つ。
【００３０】
このように、相関値の移動平均は、ＯＦＤＭ信号のシンボル間の境界タイミングでピークを持つ。したがって、このピークが発生する間隔は、「シンボル期間＋ガードインターバル（シンボル間隔）」に相当する。
【００３１】
位相誤差平均部３は、実際のシンボル間隔と検出されたシンボル間隔との誤差の平均を計算する。計算した誤差平均値は、判定部７に通知される。以下、図４を参照しながら、誤差の平均を計算する方法について説明する。なお、図４では、シンボル期間が１００８μ秒であり、ガードインターバルが１／８シンボル期間（すなわち、１２６μ秒）であるものとする。すなわち、実際のシンボル期間は１１３４μ秒であるものとしている。
【００３２】
シンボル間隔は、ガード相関部２によりシンボル毎に検出される。検出されるシンボル間隔は、図４に示すように、「１１３５」「１１３８」「１１３６」．．．であったものとする。この場合、各誤差は「＋１」「＋３」「＋２」となる。そうすると、誤差の平均値として「＋２」が得られる。なお、平均値を計算するための期間は、特に限定されるものではない。
【００３３】
電力検出部４は、直交復調部１０４の出力信号の平均電力を検出する。ここで、直交復調部１０４の出力信号は、Ｉ成分信号およびＱ成分信号である。よって、直交復調部１０４の出力信号の電力は、「Ｉ成分の自乗＋Ｑ成分の自乗」により得られる。そして、電力検出部４は、計算した平均電力値を判定部７に通知する。なお、電力検出部４は、チューナ１０１においてＲＦ利得を制御するＡＧＣフィードバック系において利用されるようにしてもよい。
【００３４】
ＭＥＲ（Modulation Error Rate）算出部５は、伝送路等化部１０６から出力される周波数領域信号のＭＥＲを検出する。検出したＭＥＲ値は、判定部７に通知される。なお、検出したＭＥＲ値は、重み付け部６にも通知される。重み付け部６は、各ブランチのＭＥＲ値に応じて、ダイバーシティ合成部１０７において各ブランチのデータを合成する際のウエイトを制御する。なお、あるブランチのＭＥＲが大きく劣化したときは、ダイバーシティ合成部１０７は、その劣化したブランチから出力されるデータを使用しないようにしてもよい。
【００３５】
判定部７には、各ブランチの位相誤差、各ブランチの平均電力、各ブランチのＭＥＲ値が通知される。判定部７は、これらの通知に応じて、信頼性の高いブランチを特定する。そして、信頼性の高いブランチにおいて検出された位相誤差が合成される。「合成」は、この実施例では、平均値を算出する演算を意味する。例えば、第１ブランチおよび第２ブランチの双方の信頼性が高い場合には、第１ブランチで検出された位相誤差と第２ブランチで検出された位相誤差との平均値が算出されて出力される。また、第１ブランチの信頼性が高く、第２ブランチの信頼性が低い場合には、第１ブランチで検出された位相誤差がそのまま出力される。
【００３６】
クロック誤差補正部８は、判定部７からの出力に基づいて、クロックの誤差（例えば、周波数誤差）を補正するための補正指示を生成する。補正指示は、クロックの誤差を小さくする（或いは、最小化する）ための指示である。この補正指示は、第１ブランチおよび第２ブランチのクロック再生部１に与えられる。そして、各ブランチのクロック再生部１は、それぞれ、この補正指示に従った割合でクロックのパルスを間引く。これにより、クロックの誤差が補正される。なお、クロックの周波数を上げるのか下げるのかは、誤差の極性（すなわち、検出されたシンボル間隔が実際のシンボル間隔よりも長いのか、短いのか）に応じて決まる。
【００３７】
このように、実施形態のＯＦＤＭ受信装置においては、各ブランチから得られる誤差情報を合成（実施例では、平均化）することにより得られる補正指示を利用して、各ブランチのクロックの誤差が補正される。このため、安定したクロック補正を実現できる。すなわち、各ブランチのクロックが安定し、受信品質が向上する。
【００３８】
また、誤差情報の平均化をすることは、ＦＦＴ窓の位置の制御に対する制約にはならないので、データの合成が容易である。
【００３９】
さらに、複数のブランチの中のあるブランチの信頼性が低下したときには、補正指示を作成する際に、そのブランチの誤差情報は使用されない。したがって、信頼性の低いブランチの影響を受けることなく、クロックの誤差を適切に補正することができる。
【００４０】
上記構成のＯＦＤＭ受信装置において、判定部７は、あるブランチの信頼性が低いと判定した場合、そのブランチの位相誤差平均部３に対して、直前に計算した平均値を保持する旨を指示する。保持した値は、そのブランチの信頼性が回復した場合に使用される。なお、各ブランチの品質（位相誤差のばらつき、電力、ＭＥＲなど）は、常時、モニタしているものとする。以下、図５を参照しながら、信頼性が低下したときの動作を説明する。
【００４１】
図５において、ａ１〜ａ１４は、時刻Ｔ１〜時刻Ｔ１４において検出される第１ブランチの位相誤差である。ｂ１〜ｂ１４は、時刻Ｔ１〜時刻Ｔ１４において検出される第２ブランチの位相誤差である。また、第１ブランチの信頼性は、時刻Ｔ１〜Ｔ１４において常に高いものとする。一方、第２ブランチの信頼性は、時刻Ｔ５〜Ｔ１０において低いものとする。
【００４２】
例えば、時刻Ｔ４では、第１ブランチの位相誤差の平均値として「Ｐ（a1〜a4）」が得られ、第２ブランチの位相誤差の平均値として「Ｐ（b1〜b4）」が得られる。このとき、第１ブランチ及び第２ブランチの信頼性はいずれも高い。したがって、この場合、判定部７は「｛Ｐ（a1〜a4）＋Ｐ（b1〜b4）｝／２」を出力する。
【００４３】
時刻Ｔ５では、第１ブランチの位相誤差の平均値として「Ｐ（a2〜a5）」が得られる。ところが、第２ブランチの信頼性は低い。よって、この場合、判定部７は、第２ブランチの情報は使用せずに、「Ｐ（a2〜a5）」を出力する。また、位相誤差平均部３は、時刻Ｔ４において求めた平均値「Ｐ（b1〜b4）」を保持する。以降、第２ブランチの信頼性が低い期間は、第２ブランチの情報は使用されない。
【００４４】
時刻Ｔ１１において第２ブランチの信頼性が回復したものとする。時刻Ｔ１１においては、第１ブランチの位相誤差の平均値として「Ｐ（a8〜a11）」が得られる。一方、演算を継続していたものと仮定すると、第２ブランチでは「Ｐ（b8〜b11）」が得られる。しかし、「b8」〜「b10」は、信頼性の低い期間に得られた情報である。このため、「Ｐ（b8〜b11）」の信頼性も低い。よって、新たに計算された「Ｐ（b8〜b11）」の代わりに、先に保持してある「Ｐ（b1〜b4）」が使用される。すなわち、判定部７は「｛Ｐ（a8〜a11）＋Ｐ（b1〜b4）｝／２」を出力する。なお、第２ブランチの動作が安定した後は、通常の動作に戻る。
【００４５】
このように、あるブランチの信頼性が回復した直後は、そのブランチの位相誤差の平均値の信頼性は低い。このため、実施形態のＯＦＤＭ受信装置では、信頼性の高い期間に算出した位相誤差の平均値を保持する。そして、そのブランチが復帰した直後は、その保持してある値を使用する。この構成を導入することによって、あるブランチが復帰したときに、クロック補正動作が不安定になることはない。
【００４６】
図６は、判定部７の処理を説明するフローチャートである。この処理は、例えば、所定間隔で繰り返し実行される。なお、判定部７には、各ブランチから、常時、最新の位相誤差、電力値、ＭＥＲが通知されるものとする。
【００４７】
ステップＳ１では、各ブランチの平均電力をそれぞれ閾値電力と比較する。平均電力が閾値電力よりも低いブランチは、信頼性が低いと判定される。ステップＳ２では、各ブランチのＭＥＲをそれぞれ閾値ＭＥＲと比較する。ＭＥＲが閾値ＭＥＲよりも悪いブランチは、信頼性が低いと判定される。ステップＳ３では、各ブランチの位相誤差のばらつきをそれぞれ閾値ばらつきと比較する。位相誤差のばらつきが閾値ばらつきよりも大きいブランチは、信頼性が低いと判定される。なお、位相誤差の平均値が小さい場合であっても、個々の位相誤差のばらつきが大きい場合には、受信動作は不安定である。よって、位相誤差のばらつきが大きい場合には、通信の信頼性が低いと判断される。
【００４８】
すべてのブランチの信頼性が高い場合には、ステップＳ６において、すべてのブランチの位相誤差平均を合成（実施例では、平均化）し、その演算結果を利用してクロック誤差を補正する。なお、停止している位相誤差平均演算回路があれば、ステップＳ６を実行する前に、その演算回路が起動される（ステップＳ４、Ｓ５）。
【００４９】
信頼性の低いブランチが検出されたときは、ステップＳ７、Ｓ８が実行される。ステップＳ７では、信頼性の低いブランチの位相誤差演算回路を停止する。これにより、消費電力が小さくなる。そして、ステップＳ８において、信頼性の高いブランチの位相誤差平均のみを利用してクロック誤差を補正する。
【００５０】
なお、上述の実施例では、３つの条件（ステップＳ１〜Ｓ３）に基づいて、各ブランチの信頼性が判断されているが、本発明はこの方法に限定されるものではない。すなわち、ステップＳ１〜Ｓ３に示す３つの条件のうちの任意の１つの条件、または任意の２つの条件に基づいて、各ブランチの信頼性を判断するようにしてもよい。
【００５１】
このように、実施形態のＯＦＤＭ受信装置においては、信頼性の高いブランチの情報のみを利用してクロック誤差を補正するので、一部のブランチの品質が劣化した場合であっても、安定した受信特性を維持することができる。また、あるブランチの品質が劣化したときには、その直前の計算データを保持しておき、回復時にその保持してある計算データを使用するので、ブランチの品質の回復時に動作が不安定になることもない。
【００５２】
＜他の実施形態＞
上述の実施例では、複数の信頼性の高いブランチの位相誤差の平均値に基づいて、クロック誤差を補正するための補正指示が作成されるが、本発明はこれに限定されるものではない。すなわち、例えば、位相誤差平均値の最も小さいブランチを選択し、その選択したブランチのクロックと他のブランチのクロックが同じになるように、各ブランチのクロックを制御するようにしてもよい。あるいは、平均電力が最大であるブランチを選択し、その選択したブランチのクロックと他のブランチのクロックが同じになるように、各ブランチのクロックを制御するようにしてもよい。さらに、ＭＥＲが最小であるブランチを選択し、その選択したブランチのクロックと他のブランチのクロックが同じになるように、各ブランチのクロックを制御するようにしてもよい。
【００５３】
上述の実施例では、２つのＯＦＤＭブランチを備えるＯＦＤＭ受信装置を示したが、本発明はこの構成に限定されるものではない。すなわち、ＯＦＤＭブランチの数は、任意である。例えば、４つのブランチを備えるＯＦＤＭ受信装置において、ある１つのブランチの信頼性が低下した場合には、他の３つのブランチの位相誤差を合成し、その合成結果に基づいて各ブランチのクロック誤差を補正するようにしてもよい。
【符号の説明】
【００５４】
１      クロック再生部
２      ガード相関部
３      位相誤差平均部
４      電力検出部
５      ＭＥＲ算出部
６      重み付け部
７      判定部
８      クロック誤差補正部
１０１  アンテナ
１０２  チューナ
１０３  Ａ／Ｄ変換部
１０４  直交変換部
１０５  ＦＦＴ部
１０６  伝送路等化部
１０７  ダイバーシティ合成部
１０８  誤り訂正部
【図１】
0005408305.tif 000002
【図２】
0005408305.tif 000003
【図３】
0005408305.tif 000004
【図４】
0005408305.tif 000005
【図５】
0005408305.tif 000006
【図６】
0005408305.tif 000007
【図７】
0005408305.tif 000008
【図８】
0005408305.tif 000009